(57)【要約】      （修正有）【課題】環境の品質を向上させ、健康に有益な絵画作品表示装置を提供する。【解決手段】絵画本体３１を配置した額縁セット３を額縁枠セット２の額縁枠背板前面にスペーサー４を介して配置し、額縁枠背板全表面に第１の反応物質含有高分子層２３、絵画本体裏面に第２の反応物質含有高分子層をそれぞれ設けて、これらの間の間隙を流通する空気の浄化を行う。反応物質として、マイナスイオンエネルギー粉末、遠赤外線セラミック粉末、活性炭粉末、チタン微粒子、ゲルマニウム微粒子、ナノ銀微粒子、二酸化チタン、またはこれらの材料からなる混合物を用いる。【選択図】図２
0003191745.tif 000002
【実用新案登録請求の範囲】
【請求項１】
図案や模様の描かれた絵画本体、該絵画本体をその前面に配置する額縁枠背板及び、該額縁枠背板を支持する額縁枠セットからなり、
該額縁枠背板全面に第1の反応物質含有高分子層を設けると共に、該絵画本体裏面に第２の反応物質含有高分子層を設けて、前記絵画本体と額縁枠背板との間に間隔を設けて該絵画本体を配置し、
その間に流通する空気にこれら第２、第２の反応物質含有高分子層を作用せしめることを特徴とする環境雰囲気品質を向上する絵画作品表示装置。
【請求項２】
前記第1の反応物質含有高分子層および前記第２の反応物質含有高分子層は、マイナスイオンエネルギー粉末、遠赤外線セラミック粉末、活性炭粉末、チタン微粒子、ゲルマニウム微粒子、ナノ銀微粒子、二酸化チタン、またはこれらの材料からなる混合物であることを特徴とする請求項１に記載の環境雰囲気品質を向上する絵画作品表示装置。
【請求項３】
前記絵画本体は、布、紙または陶磁器の板からなることを特徴とする請求項１に記載の環境雰囲気品質を向上する絵画作品表示装置。
【請求項４】
前記額縁枠セットと前記額縁セットとの間に固着された１以上のスペーサーにより、一定の間隔を設けたことを特徴とする請求項１に記載の環境雰囲気品質を向上する絵画作品表示装置。
【請求項５】
前記額縁枠セットと前記額縁セットとの間に固着された複数のスペーサーを対称的、且つ均等に配置して一定の間隔を設けたことを特徴とする請求項１に記載の環境雰囲気品質を向上する絵画作品表示装置。
【考案の詳細な説明】
【技術分野】
【０００１】
本考案は、絵画作品に関し、特に、環境の品質を向上させ、健康に有益な絵画作品表示装置に関する。
【背景技術】
【０００２】
絵画作品は、特定の材料表面に顔料、塗料、染料などの媒介で、図形、色彩、構図、線などにより芸術性を表現する創作で、鑑賞者に美的および精神的な陶冶を与える。一般的に表装や額装により絵画作品の品格を向上させ、長く保存することができるが、芸術性の高い絵画にさらに実用的な付加価値を与えるべきだと思われる。
【先行技術文献】
【特許文献】
【０００３】
【特許文献１】特開２００５−２８０６７号公報
【考案の概要】
【考案が解決しようとする課題】
【０００４】
本考案の目的は、環境の品質を向上させ、健康に有益な絵画作品表示装置を提供することにある。
【課題を解決するための手段】
【０００５】
上述の目的を達成するため、本考案は、反応物質含有高分子層を有する絵画作品表示装置を提供する。本考案の反応物質含有高分子層を有する絵画作品表示装置は、額縁枠セット、額縁セットおよびスペーサーからなり、額縁枠セットは、額縁枠背板、および額縁枠背板の前表面に配置された第1の反応物質含有高分子層を有する。額縁セットは、額縁枠背板の前表面の近くに設けられ、絵画本体および第２の反応物質含有高分子層を有する。絵画本体には特定の図案や模様が描かれ、第２の反応物質含有高分子層は絵画本体の裏表面に配置され、第1の反応物質含有高分子層に相対し、相互に間隔を有する。汚れた空気が第１の反応物質含有高分子層と第２の反応物質含有高分子層との間の隙間に流入すると、空気浄化処理が行なわれ、室内の空気品質が向上する。
【考案の効果】
【０００６】
本考案の反応物質含有高分子層を有する絵画作品表示装置は、汚れた空気を二つの反応物質含有高分子層の間の隙間に流入させることにより、異臭吸収、殺菌、除臭など空気浄化処理を行ない、室内の雰囲気品質を向上させることができる。また、異なる材料の選択により、赤外線を放出して人体の健康を増進することができる。
【図面の簡単な説明】
【０００７】
【図１】本考案の一実施形態による反応物質含有高分子層を有する絵画作品表示装置を示す斜視図である。
【図２】本考案の一実施形態による反応物質含有高分子層を有する絵画作品表示装置を示す分解斜視図である。
【図３】本考案の一実施形態による反応物質含有高分子層を有する絵画作品表示装置を示す断面図である。
【考案を実施するための形態】
【０００８】
以下、本考案の実施形態を図面に基づいて説明する。
【０００９】
図１〜３を参照する。図１は、本考案の一実施形態による反応物質含有高分子層を有する絵画作品表示装置を示す斜視図である。図２は、本考案の一実施形態による反応物質含有高分子層を有する絵画作品表示装置を示す分解斜視図である。図３は、本考案の一実施形態による反応物質含有高分子層を有する絵画作品表示装置を示す断面図である。図１〜３に示すように、絵画作品表示装置１は、額縁枠セット２、額縁セット３およびスペーサー４を含む。
【００１０】
額縁枠セット２は、額縁枠背板２１、額縁枠２２および第1の反応物質含有高分子層２３を有する。
【００１１】
額縁枠セット２の額縁枠背板２１は、布、紙、木、金属など各種の材料からなり、絵画作品１の主な構造の一つで、額縁セット３およびスペーサー４を装着している。また、額縁枠背板２１の前表面には、特定の図案や模様を描くことにより美観を向上させることができる。
【００１２】
額縁枠セット２の額縁枠２２は、額縁枠背板２１の外縁に設けられ、額縁枠背板２１と同様の材料または異なる材料からなり、美観を向上させることができる。
【００１３】
額縁枠セット２の第1の反応物質含有高分子層２３は、額縁枠背板２１の前表面に設けられ、マイナスイオンエネルギー粉末、遠赤外線セラミック粉末、活性炭粉末、チタン微粒子、ゲルマニウム微粒子、ナノ銀微粒子、二酸化チタン、またはこれらの材料からなる混合物を含む。異なる材料の選択により、異臭吸収、殺菌、除臭など室内の空気環境を向上させる効果および／または赤外線を放出して人体の健康を増進する効果を有する。加工工程において、第1の反応物質含有高分子層２３は、額縁枠背板２１の材料の違いにより、粘着、吹き付け、液体に浸すなど異なる配置方法を選択することができる。これにより額縁枠背板２１の前表面に配置され、効果を発揮する。第1の反応物質含有高分子層２３は、外観が透明に近いか、光沢を有するなど、絵画作品表示装置１全体の美的感覚に組み合わせることができる。
【００１４】
額縁セット３は、額縁枠背板２１の前表面の近くに設けられ、額縁枠背板２１との間に相互に間隔を有し、絵画本体３１、額縁３２および第２の反応物質含有高分子層３３を有する。
【００１５】
額縁セット３の絵画本体３１には、特定の図案や模様を有する絵画作品で、布、紙、陶磁器の板など各種の材料からなり、鑑賞者に美的感覚を感じさせるもので、特定の材料、タイプ、形状、サイズなどに限定されるものではない。
【００１６】
額縁セット３の額縁３２は、絵画本体３１の外縁に配置され、額縁枠２２に合わせて絵画作品１の全体的な精緻さを向上させることができる。ただし、状況により異なり、絵画本体３１の外縁に額縁３２を設けなくてもよく、異なる視覚的感覚を与えることができる。
【００１７】
額縁セット３の第２の反応物質含有高分子層３３は、絵画本体３１の裏表面に設けられ、隣接する第1の反応物質含有高分子層２３との間に相互に間隔を有し、第1の反応物質含有高分子層２３と同様の材料を含む。両者の組み合わせにより、室内の空気が流通すると、反応物質含有高分子エネルギーが放出され、除臭、抗菌などの効果がさらに向上する。
【００１８】
スペーサー４は、額縁枠セット２と額縁セット３との間に固着されている。そのため、額縁枠セット２と額縁セット３との間には、相互に一定の間隔があり、第1の反応物質含有高分子層２３と第２の反応物質含有高分子層３３との間の隙間で空気を流通させる。汚れた空気が第1の反応物質含有高分子層２３と第２の反応物質含有高分子層３３との間の隙間に流入すると、第1の反応物質含有高分子層２３および第２の反応物質含有高分子層３３が空気浄化処理を行い、絵画作品１が接触する空間の空気品質が向上する。
【００１９】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００２０】
１  絵画作品表示装置
２  額縁枠セット
３  額縁セット
４  スペーサー
２１  額縁枠背板
２２  額縁枠
２３  第1の反応物質含有高分子層
３１  絵画本体
３２  額縁
３３  第２の反応物質含有高分子層
【図１】
0003191745.tif 000003
【図２】
0003191745.tif 000004
【図３】
0003191745.tif 000005
【手続補正書】
【提出日】平成26年5月2日(2014.5.2)
【手続補正１】
【補正対象書類名】実用新案登録請求の範囲
【補正対象項目名】請求項１
【補正方法】変更
【補正の内容】
【請求項１】
図案や模様の描かれた絵画本体、該絵画本体をその前面に配置する額縁枠背板及び、該額縁枠背板を支持する額縁枠セットからなり、
該額縁枠背板全面に第1の反応物質含有高分子層を設けると共に、該絵画本体裏面に第２の反応物質含有高分子層を設けて、前記絵画本体と額縁枠背板との間に間隔を設けて該絵画本体を配置し、
その間に流通する空気にこれら第１、第２の反応物質含有高分子層を作用せしめることを特徴とする環境雰囲気品質を向上する絵画作品表示装置。
【手続補正２】
【補正対象書類名】実用新案登録請求の範囲
【補正対象項目名】請求項４
【補正方法】変更
【補正の内容】
【請求項４】
前記絵画本体を前記額縁枠セット前面に配置された額縁セットに配置し、該額縁枠セットと該額縁セットとの間に固着された１以上のスペーサーにより、一定の間隔を設けたことを特徴とする請求項１に記載の環境雰囲気品質を向上する絵画作品表示装置。
【手続補正３】
【補正対象書類名】実用新案登録請求の範囲
【補正対象項目名】請求項５
【補正方法】変更
【補正の内容】
【請求項５】
前記額縁枠セットと前記額縁セットとの間に固着された複数のスペーサーを対称的、且つ均等に配置して一定の間隔を設けたことを特徴とする請求項４に記載の環境雰囲気品質を向上する絵画作品表示装置。